(57)【要約】【課題】隣接する引き外し機構のバイメタルの変形スピードにズレが生じた場合であっても、引き外し動作の不安定の問題が生じない多極式配線用遮断器を提供する。【解決手段】各筺体内にバイメタル８とトリガレバー３を備えた配線用遮断器１ａ、１ｂを、複数隣接配置してなる多極式配線用遮断器であって、各バイメタル８の動きを各トリガレバー３に伝達するトリップバー２が、各配線用遮断器１ａ、１ｂを貫通して配置され、該トリップバー２は、バイメタル８が湾曲した際にその先端によって押圧されるバイメタル接触面２ａと、各トリガレバーを蹴って各トリガレバーの係止状態を解除するトリガレバー係止解除部２ｂと、係止状態を解除されたトリガレバーがトリガバネによって弾発力を与えられて動作する際に引掛かるトリガレバー引掛部２ｃを有する。【選択図】図３
2011014522.tif 000002
【特許請求の範囲】
【請求項１】
各筺体内にバイメタルとトリガレバーを備えた配線用遮断器を、複数隣接配置してなる多極式配線用遮断器であって、
各バイメタルの動きを各トリガレバーに伝達するトリップバーが、各配線用遮断器を貫通して配置され、
該トリップバーは、バイメタルが湾曲した際にその先端によって押圧されるバイメタル接触面と、各トリガレバーを蹴って各トリガレバーの係止状態を解除するトリガレバー係止解除部と、係止状態を解除されたトリガレバーがトリガバネによって弾発力を与えられて動作する際に引掛かるトリガレバー引掛部を有することを特徴とする多極式配線用遮断器。
【請求項２】
該トリガレバー係止解除部が、時間差を設けて順に各トリガレバーを蹴って各トリガレバーの係止状態を解除する順次係止状態解除機構を備えたことを特徴とする請求項１記載の多極式配線用遮断器。
【請求項３】
該順次係止状態解除機構が、各々、最上面の水平高さが異なる複数のトリガレバー係止解除部を備えるトリップバーからなることを特徴とする請求項２記載の多極式配線用遮断器。
【請求項４】
該順次係止状態解除機構が、各々、係止状態における最下面水平高さが異なる複数のトリガレバーからなることを特徴とする請求項２記載の多極式配線用遮断器。
【請求項５】
配線用遮断器の筺体に、該トリップバーをスライド自在に支持するスライドガイド部を形成したことを特徴とする請求項１〜４の何れかに記載の多極式配線用遮断器。
【請求項６】
隣接配置された各配線用遮断器の各々の筺体は、２つの外ケースを組み合わせて形成され、各筺体の内部には中間ケースを備え、該筺体の２か所にスライドガイド部を形成し、該スライドガイド部の一方を、一方の筺体の中間ケース又は反隣接側の外ケースに形成し、他方を、前記筺体の隣接側の外ケース又は隣接配置された他方の筺体の中間ケース又は反隣接側の外ケース又は隣接側の外ケースに形成したことを特徴とする請求項５記載の多極式配線用遮断器。
【発明の詳細な説明】
【技術分野】
【０００１】
本発明は筺体内に２極以上のバイメタルを収納した多極式配線用遮断器に関するものである。
【背景技術】
【０００２】
従来から、配線用遮断器を複数隣接配置させた上で、各配線用遮断器の引き外し機構を連動して引き外すために、連結部材を用いて、各ハンドルや各引き外し機構を連結する配線用遮断器の技術は開示されている（特許文献１）。特に、特殊用途のための少量生産の場合、各用途ごとに専用の多極式配線用遮断器を新たに製作するよりも、従来の配線用遮断器を連結して利用することが、コスト面等の観点から、好ましい。
【０００３】
しかし、連結部材を用いて複数の引き外し機構を連結するタイプの場合、隣接する引き外し機構のバイメタルの変形スピードにズレが生じ、各引き外し機構の引き外しタイミングにズレが生じると、連結部材に不自然な引っ張り力が発生して各引き外し機構に引っ掛かりが生じる等、引き外し動作の不安定を招く問題があった。
【先行技術文献】
【特許文献】
【０００４】
【特許文献１】実開平３−１０４９４２号公報
【発明の概要】
【発明が解決しようとする課題】
【０００５】
本発明の目的は前記問題を解決し、従来からある配線用遮断器を複数隣接配置させた上で、各配線用遮断器の引き外し機構を連動して引き外すタイプの多極式配線用遮断器において、隣接する引き外し機構のバイメタルの変形スピードにズレが生じた場合であっても、各引き外し機構に引っ掛かりが生じる等、引き外し動作の不安定の問題が生じない多極式配線用遮断器を提供することである。
【課題を解決するための手段】
【０００６】
上記課題を解決するためになされた本発明の多極式配線用遮断器は、各筺体内にバイメタルとトリガレバーを備えた配線用遮断器を、複数隣接配置してなる多極式配線用遮断器であって、各バイメタルの動きを各トリガレバーに伝達するトリップバーが、各配線用遮断器を貫通して配置され、該トリップバーは、バイメタルが湾曲した際にその先端によって押圧されるバイメタル接触面と、各トリガレバーを蹴って各トリガレバーの係止状態を解除するトリガレバー係止解除部と、係止状態を解除されたトリガレバーがトリガバネによって弾発力を与えられて動作する際に引掛かるトリガレバー引掛部を有することを特徴とするものである。
【０００７】
請求項２記載の発明は、請求項１記載の多極式配線用遮断器において、該トリガレバー係止解除部が、時間差を設けて順に各トリガレバーを蹴って各トリガレバーの係止状態を解除する順次係止状態解除機構を備えたことを特徴とするものである。
【０００８】
請求項３記載の発明は、請求項２記載の多極式配線用遮断器において、該順次係止状態解除機構が、各々、最上面の水平高さが異なる複数のトリガレバー係止解除部を備えるトリップバーからなることを特徴とするものである。
【０００９】
請求項４記載の発明は、請求項２記載の多極式配線用遮断器において、該順次係止状態
解除機構が、各々、係止状態における最下面水平高さが異なる複数のトリガレバーからなることを特徴とするものである。
【００１０】
請求項５記載の発明は、請求項１〜４の何れかに記載の多極式配線用遮断器において、配線用遮断器の筺体に、該トリップバーをスライド自在に支持するスライドガイド部を形成したことを特徴とするものである。
【００１１】
請求項６記載の発明は、請求項５記載の多極式配線用遮断器において、隣接配置された各配線用遮断器の各々の筺体は、２つの外ケースを組み合わせて形成され、各筺体の内部には中間ケースを備え、該筺体の２か所にスライドガイド部を形成し、該スライドガイド部の一方を、一方の筺体の中間ケース又は反隣接側の外ケースに形成し、他方を、前記筺体の隣接側の外ケース又は隣接配置された他方の筺体の中間ケース又は反隣接側の外ケース又は隣接側の外ケースに形成したことを特徴とするものである。
【発明の効果】
【００１２】
本発明に係る多極式配線用遮断器は、各筺体内にバイメタルとトリガレバーを備えた配線用遮断器を、複数隣接配置してなる多極式配線用遮断器において、各配線用遮断器に共通のトリップバーを各配線用遮断器を貫通して配置し、該トリップバーを、各バイメタルの先端と接触して各バイメタルの湾曲運動力を伝達されるバイメタル接触面と、各トリガレバーを蹴って各トリガレバーの係止状態を解除するトリガレバー係止解除部と、係止状態を解除されたトリガレバーがトリガバネによって弾発力を与えられて動作する際に引掛かるトリガレバー引掛部を有する構成とした。当該構成により、少なくとも何れかのバイメタルが湾曲してバイメタル接触面と接触した場合には、該共通のトリップバーを介して、全てのトリガレバーが同時に引き外されるため、隣接する引き外し機構のバイメタルの変形スピードにズレが生じた場合であっても、各引き外し機構に引っ掛かりが生じる等、引き外し動作の不安定の問題が生じない多極式配線用遮断器を提供することができる。
【００１３】
請求項２記載の発明によれば、トリガレバー係止解除部が、時間差を設けて順に各トリガレバーを蹴って各トリガレバーの係止状態を解除する順次係止状態解除機構を備える構成により、各トリガレバーを、同時ではなく、順次引き外すことができる。同時に引き外す場合には、大きな引き外し荷重を加えることが必要となるため、バイメタルや機構部を大型化しなければならないとういう問題が生じるが、本発明の順次引き外す構成によれば、小さな引き外し荷重で、該多極式配線用遮断器の引き外しを行うことができるため、当該問題を回避することができる。
【００１４】
請求項５記載の発明によれば、配線用遮断器の筺体に、該トリップバーをスライド自在に支持するスライドガイド部を形成する構成により、より一層引き外し動作の安定化を図ることができる。
【図面の簡単な説明】
【００１５】
【図１】本実施形態の全体構成説明図である。
【図２】図１を正面方向から見た図である。
【図３】図１から配線用遮断器１ａの外ケース４ｂを省略し、配線用遮断器１ａ、１ｂの外ケース４ａを省略した図である。
【図４】トリップバーの説明図である。
【図５】他の形態のトリップバーの説明図である。
【図６】スライドガイド部の組み合わせ説明図である。
【図７】第二の実施形態のトリップバーの説明図である。
【図８】図７のトリップバーの正面図である。
【発明を実施するための形態】
【００１６】
（第一の実施形態）
以下に２極式の配線用遮断器を２個隣接配置した第一の実施形態を説明する。
【００１７】
図１には、本実施形態の全体構成説明図を示している。本実施形態の多極式配線用遮断器は、２極式の配線用遮断器１ａ、１ｂを２個隣接配置したものであり、各配線用遮断器１ａ、１ｂのトリガレバー３を連動して引き外すためのトリップバー２が、隣接する各配線用遮断器１を貫通して配置されている。図２には、図１を正面方向から見た図を示している。
【００１８】
各配線用遮断器の各々の筺体は、２つの外ケース４ａ、４ｂを組み合わせて形成されている。各配線用遮断器の隣接面側の外ケース４ｂには、トリップバー２が貫通して配置される開口部５が形成されている。
【００１９】
図３は、図１から配線用遮断器１ａの外ケース４ｂを省略し、配線用遮断器１ａ、１ｂの外ケース４ａを省略した図を示している。各配線用遮断器１ａ、１ｂは、各筺体の内部に中間ケース４ｃを備えている。各筺体は、該中間ケース４ｃによって厚み方向で左右２室に区画され、各室には、可動接点６、固定接点７、バイメタル８などが配置されている。
【００２０】
図４には、トリップバー２の説明図を示している。トリップバー２は、バイメタルが湾曲した際にその先端によって押圧されるバイメタル接触面２ａと、各トリガレバーを蹴って各トリガレバーの係止状態を解除するトリガレバー係止解除部２ｂと、係止状態を解除されたトリガレバーがトリガバネによって弾発力を与えられて回転動作する際に引掛かるトリガレバー引掛部２ｃと、Ｌ字状の規制片２ｄを有する。該トリップバー２の構造は、図４に示すものに限定されず、例えば、図５に示すものであってもよい。
【００２１】
該Ｌ字状の規制片２ｄは、配線用遮断器１ｂの中間ケース４ｃまたは配線用遮断器１ｂの外ケース４ａに形成されたスライドガイド部（図示しない）に支持される。更に、配線用遮断器１ｂの外ケース４ｂまたは配線用遮断器１ａの外ケース４ａまたは配線用遮断器１ａの外ケース４ｂまたは配線用遮断器１ａの中間ケース４ｃにも、スライドガイド部が形成されており、トリップバー２は、これら２箇所のスライドガイド部の間で上下方向にスライド自在に支持されている。図６には、スライドガイド部の組み合わせ説明図を示している。
【００２２】
図６の上段はスライドガイド部の一方を、一方の配線用遮断器の中間ケース４cに形成するとともに、スライドガイド部の他方を、（Ａ）では当該一方の配線用遮断器の外ケース４ｂに、（Ｂ）では他方の配線用遮断器の外ケース４ｂに、（Ｃ）では他方の配線用遮断器の中間ケース４ｃに、（Ｄ）では他方の配線用遮断器の反隣接側の外ケース４ａに設けたもので、上記２ヶ所に加えて支持する箇所を増やしてもよい。
【００２３】
また、図６の下段はスライドガイド部の一方を、当該一方の配線用遮断器の反隣接側の外ケース４ａに形成するとともに、スライドガイド部の他方を、（Ｅ）では当該一方の配線用遮断器の隣接側の外ケース４ｂに、（Ｆ）では他方の配線用遮断器の隣接側の外ケース４ｂに、（Ｇ）では他方の配線用遮断器の中間ケース４ｃに、（Ｈ）では他方の配線用遮断器の反隣接側の外ケース４ａに設けたもので、上記２ヶ所に加えて支持する箇所を増やしてもよい。
【００２４】
配線用遮断器１ａ、１ｂ内の少なくとも何れかのバイメタル８が過電流により湾曲し、バイメタル８の変形量が所定レベルを超えてトリップバー２のバイメタル接触面２ａを押
圧すると、トリップバー２が、スライドガイド部間で支持されながら上に押し上げられ、トリガレバー係止解除部２ｂが各トリガレバー３の下端部を蹴る。これにより各トリガレバー３は係止機構から外れ、トリガバネによって弾発力を与えられて回転動作しながら可動接点６と固定接点７を引き外して接点をオフ状態とする。トリガレバー３がトリガバネによって弾発力を与えられて回転動作する際、各トリガレバー３の上端部がトリガレバー引掛部２ｃを引掛けて持ち上げるため、隣接する各配線用遮断器１を貫通して配置されている該トリップバー２がスライドガイド部間で支持されながら更に上に押し上げられる。
【００２５】
当該構成により、少なくとも何れかのバイメタル８が湾曲してバイメタル接触面と接触した場合には、該共通のトリップバー２を介して、全てのトリガレバーが同時に引き外されるため、隣接する引き外し機構のバイメタル８の変形スピードにズレが生じた場合であっても、全てのトリガレバー３に均等な引き外し力が働き、引き外し動作の安定化を図ることができる。
【００２６】
また、本実施形態に用いる２極式の配線用遮断器１ａ、１ｂは、従来単品で２極式の配線用遮断器として使用されていた物から従来のトリップバーを除いた上で、開口部５を形成加工したものを隣接配置した上で、新たなトリップバー２を差込んで組み立てればよく、特に、特殊用途のための少量生産品を、低コストかつ簡易な工程で製造することができる点で優れている。
【００２７】
（第二の実施形態）
図７には、第二の実施形態のトリップバーの説明図を示し、図８にはその正面図を示している。
【００２８】
第二の実施形態では、図７および図８に示すトリップバー２を使用する。該トリップバー２は、バイメタルが湾曲した際にその先端によって押圧されるバイメタル接触面２ａと、各トリガレバーを蹴って各トリガレバーの係止状態を解除するトリガレバー係止解除部２ｂ１、２ｂ２と、係止状態を解除されたトリガレバーがトリガバネによって弾発力を与えられて回転動作する際に引掛かるトリガレバー引掛部２ｃと、Ｌ字状の規制片２ｄを有し、基本構成は図４に示すトリップバー２と同様であるが、図７および図８に示すトリップバー２のトリガレバー係止解除部２ｂ１、２ｂ２は、
最上面の水平高さが異なる点において、図４と相違している。
【００２９】
本実施形態では、先ず、  第一のトリガレバー係止解除部２ｂ１が、  第一のトリガレバー３ａ１を蹴って該トリガレバー３ａ１の係止状態を解除する。この時奥側の第二のトリガレバー３ａ２と第二のトリガレバー係止解除部２ｂ２は接しておらず、トリップバー２の引き外し荷重は、第一のトリガレバー係止解除部２ｂ１にかかり、第一のトリガレバー３ａ１を持ち上げる力として使用される。これにより、第一のトリガレバー３ａ１側のラッチが外れ可動接点が動作する。この段階で、第一のトリガレバー３ａ１への荷重は不要となる。その後、該トリップバー２の引き外し荷重は、第二のトリガレバー係止解除部２ｂ２のみにかかり、第二のトリガレバー３ａ２を持ち上げる力として使用される。
【００３０】
このように、複数のトリガレバーを順次引き外す構成とすることにより、複数のトリガレバーを同時に引き外す場合に比べて、小さな引き外し荷重で引き外しを行うことができる。
【００３１】
なお、第二の実施形態は、トリガレバー係止解除部が、時間差を設けて順に各トリガレバーを蹴って各トリガレバーの係止状態を解除する順次係止状態解除機構を備えればよく、例えば、トリガレバー係止解除部の水平高さ位置は同一としたまま、係止状態における最下面水平高さが異なる複数のトリガレバーを備える構成とすることもできる。
【符号の説明】
【００３２】
１ａ  配線用遮断器
１ｂ  配線用遮断器
２  トリップバー
２ａ  バイメタル接触面
２ｂ  トリガレバー係止解除部
２ｂ１  第一のトリガレバー係止解除部
２ｂ２  第二のトリガレバー係止解除部
２ｃ  トリガレバー引掛部
２ｄ  規制片
３  トリガレバー
３ａ１  第一のトリガレバー
３ａ２  第二のトリガレバー
４ａ  外ケース
４ｂ  外ケース
４ｃ  中間ケース
５  開口部
６  可動接点
７  固定接点
８  バイメタル
【図１】
2011014522.tif 000003
【図２】
2011014522.tif 000004
【図３】
2011014522.tif 000005
【図４】
2011014522.tif 000006
【図５】
2011014522.tif 000007
【図６】
2011014522.tif 000008
【図７】
2011014522.tif 000009
【図８】
2011014522.tif 000010